(57)【要約】【課題】施工性を大きく低下させることなくアスペクト比の低減を図ることのできる建物を提供すること。【解決手段】上層階の外周の扁平な壁柱４を下層階の扁平な柱５で支持するように構成され、前記壁柱４の内端の直下に前記柱５の内端が位置し、前記壁柱４は、外壁に沿う方向の幅Ｗ４が外壁に直交する方向の幅Ｔ４よりも広く、前記柱５は、外壁に直交する方向の幅Ｔ５が外壁に沿う方向の幅Ｗ５よりも広く、前記柱５の外壁に直交する方向の幅Ｔ５は、前記壁柱４の外壁に直交する方向の幅Ｔ４よりも広くなっている。【選択図】図４
2018159235.tif 000002
【特許請求の範囲】
【請求項１】
上層階の外周の扁平な壁柱を下層階の扁平な柱で支持するように構成され、
前記壁柱の内端の直下に前記柱の内端が位置し、
前記壁柱は、外壁に沿う方向の幅が外壁に直交する方向の幅よりも広く、
前記柱は、外壁に直交する方向の幅が外壁に沿う方向の幅よりも広く、
前記柱の外壁に直交する方向の幅は、前記壁柱の外壁に直交する方向の幅よりも広くなっていることを特徴とする建物。
【請求項２】
前記柱の外壁に沿う方向の幅は、前記壁柱の外壁に沿う方向の幅よりも小さい請求項１に記載の建物。
【請求項３】
前記壁柱と前記柱との取り合い部において、該取り合い部に向かって延びる梁の上面より前記柱の柱頭を低くしてあり、前記梁には、裏面を傾斜面とするハンチが形成されている請求項１又は２に記載の建物。
【発明の詳細な説明】
【技術分野】
【０００１】
本発明は、例えば、超高層建築物、板状マンションなど、見かけのアスペクト比が大きい建物に好適な技術に関する。
【背景技術】
【０００２】
一般に、建物が高層になるに連れて、建物幅に対する高さの比（アスペクト比）が大きくなり、転倒の可能性が高くなる。
【０００３】
そこで、特許文献１に示されているように、下層部の柱を、短手方向外方に向けて末広がりに傾斜させることが考えられる。
【先行技術文献】
【特許文献】
【０００４】
【特許文献１】特開平８−３３８１５４号公報
【発明の概要】
【発明が解決しようとする課題】
【０００５】
しかし、特許文献１に示されているように下層部の複数階にわたって柱を傾斜させる場合、その各階で柱の位置が異なることになるので、施工性が大きく低下するという問題がある。
【０００６】
本発明は上述の事柄に留意してなされたもので、その目的は、施工性を大きく低下させることなくアスペクト比の低減を図ることのできる建物を提供することにある。
【課題を解決するための手段】
【０００７】
上記目的を達成するために、本発明に係る建物は、上層階の外周の扁平な壁柱を下層階の扁平な柱で支持するように構成され、前記壁柱の内端の直下に前記柱の内端が位置し、前記壁柱は、外壁に沿う方向の幅が外壁に直交する方向の幅よりも広く、前記柱は、外壁に直交する方向の幅が外壁に沿う方向の幅よりも広く、前記柱の外壁に直交する方向の幅は、前記壁柱の外壁に直交する方向の幅よりも広くなっている（請求項１）。
【０００８】
上記建物において、前記柱の外壁に沿う方向の幅は、前記壁柱の外壁に沿う方向の幅よりも小さくてもよい（請求項２）。
【０００９】
上記建物において、前記壁柱と前記柱との取り合い部において、該取り合い部に向かって延びる梁の上面より前記柱の柱頭を低くしてあり、前記梁には、裏面を傾斜面とするハンチが形成されていてもよい（請求項３）。
【発明の効果】
【００１０】
本願発明では、施工性を大きく低下させることなくアスペクト比の低減を図ることのできる建物が得られる。
【００１１】
すなわち、本願の各請求項に係る発明の建物では、上層階の外周に設けた壁柱において、外壁に沿う方向の幅を外壁に直交する方向の幅よりも広くしてあることにより、この壁柱の外壁に直交する方向の幅を外壁に沿う方向の幅よりも広くしてある場合に比べ、上層階において利用可能な空間を広く確保することができる。また、特許文献１に示すように下層階の柱を傾斜させると施工性が大きく低下するが、本願発明では、下層階の柱を傾斜させないため、施工性が大きく低下することもない。
【００１２】
その上、下層階の外周に設ける柱において、その内端の位置を壁柱の内端に合わせるとともに、外壁に直交する方向の幅を外壁に沿う方向の幅よりも広くしてあることにより、建物の見かけ上の幅を広くしてアスペクト比を低減させることができるため、よりスレンダーな建物の構築を実現することが可能となる。
【００１３】
請求項２に係る発明の建物では、下層階の柱の幅（アスペクト比の低減に寄与しない方向の幅）を狭くすることにより、用いる部材数等を削減し、経済性の向上を図ることができる。
【００１４】
請求項３に係る発明の建物では、ハンチを形成したことにより、壁柱と柱との取り合い部において、壁柱、梁から柱への荷重の伝達をスムーズに行わせることができ、また、壁柱の外側下方に形成されるスペースを樋の配置等に有効活用することも可能となる。
【図面の簡単な説明】
【００１５】
【図１】本発明の一実施の形態に係る建物の構成を概略的に示す縦断面図である。
【図２】前記建物の上層階（基準階）の構成を概略的に示す平面図である。
【図３】前記建物の要部の構成を概略的に示す縦断面図である。
【図４】（Ａ）は前記建物の要部の構成を概略的に示す横断面図、（Ｂ）は（Ａ）のＢ−Ｂ線切断断面図である。
【図５】図４（Ａ）のＡ−Ａ線切断断面図である。
【図６】図４（Ａ）のＣ−Ｃ線切断断面図である。
【発明を実施するための形態】
【００１６】
本発明の実施の形態について図面を参照しながら以下に説明する。
【００１７】
図１に示す建物は、高層建物であり、基礎１上の所定位置に免震装置２が配置され、その上に構造物（本例では集合住宅）３が構築された構成となっている。
【００１８】
そして、図２に示すように、上層階（本例では３階以上の階）の外周（建物の短手方向外側）には扁平な壁柱４が設けられ、各壁柱４は、下層階（本例では１〜２階）の扁平な柱５で支持される（図１も参照）。
【００１９】
また、図１に示すように、壁柱４の内端の直下に柱５の内端が位置し、図４（Ａ）に示すように、壁柱４は、外壁に沿う方向の幅Ｗ４が外壁に直交する方向の幅（厚み）Ｔ４よりも広く、柱５は、外壁に直交する方向の幅（厚み）Ｔ５が外壁に沿う方向の幅Ｗ５よりも広くなっている。
【００２０】
このように、上層階の外周に設けた壁柱４において、外壁に沿う方向の幅Ｗ４を外壁に直交する方向の幅（厚み）Ｔ４よりも広くしてあることにより、この壁柱４の外壁に直交する方向の幅（厚み）Ｔ４を外壁に沿う方向の幅Ｗ４よりも広くしてある場合に比べ、上層階において利用可能な空間を広く確保することができる。また、特許文献１に示すように下層階の柱を傾斜させると施工性が大きく低下するが、本実施形態では、下層階の柱５を傾斜させないため、施工性が大きく低下することもない。
【００２１】
その上、下層階の外周に設ける柱５において、その内端の位置を壁柱４の内端に合わせるとともに、外壁に直交する方向の幅（厚み）Ｔ５を外壁に沿う方向の幅Ｗ５よりも広くし、かつ、柱５の外壁に直交する方向の幅（厚み）Ｔ５を、壁柱４の外壁に直交する方向の幅（厚み）Ｔ４よりも広くしてあることにより、建物の見かけ上の幅を広くしてアスペクト比を低減させることができるため、よりスレンダーな建物の構築を実現することが可能となる。
【００２２】
さらに、図４（Ａ）に示すように、本実施形態では、柱５の外壁に沿う方向の幅Ｗ５を、壁柱４の外壁に沿う方向の幅Ｗ４よりも小さくしてある。このように、下層階の柱５の幅Ｗ５（アスペクト比の低減に寄与しない方向の幅）を狭くすることにより、用いる部材数等を削減し、経済性の向上を図ることができる。なお、柱５の外壁に沿う方向の幅Ｗ５は、壁柱４の外壁に直交する方向の幅（厚み）Ｔ４よりも広くしてある（壁柱４より柱５の横断面積を大きくしてある）のが強度上好ましい。
【００２３】
加えて、本実施形態では、図３、図５に示すように、壁柱４と柱５との取り合い部において、該取り合い部に向かって延びる梁６の上面より柱５の柱頭を低くしてあり、梁６には、裏面を傾斜面とするハンチ７を形成してある。このようにハンチ７を形成したことにより、壁柱４、梁６から柱５への荷重の伝達をスムーズに行わせることができ、また、壁柱４の外側に例えばバルコニー８を設ける場合に、その下方にスペースが形成されることになるが、そのスペースを樋の配置等に有効活用することも可能となる。
【００２４】
ここで、壁柱４と柱５との取り合い部における配筋は、例えば図４（Ａ）及び（Ｂ）、図５、図６に示すように行うことができ、特に梁６のハンチ７の配筋について説明すると、このハンチ７には、上部及び下部に各々４本ずつ計８本の梁主筋９が配され、中間部に４本の補強筋１０が配され、外側の４本（上部の外側２本及び下部の外側２本）の梁主筋９の周囲には肋筋１１が設けられている。
【００２５】
そして、図５に示すように、上部４本の梁主筋９は水平に延びている。また、下部４本の梁主筋９は、梁６の下面に沿って延び、その先端は、ハンチ７の傾斜角度を維持したまま柱５の外端付近にまで延びている。一方、４本の補強筋１０は、ハンチ７の中間部で折曲していて、その折曲部からハンチ７の傾斜角度を維持したまま梁６の上部付近にまで延びる傾斜部１０ａと、折曲部から水平に延びて柱５の外端付近にまで延びる水平部１０ｂとを有している。
【００２６】
なお、本発明は、上記の実施の形態に何ら限定されず、本発明の要旨を逸脱しない範囲において種々に変形して実施し得ることは勿論である。例えば、以下のような変形例を挙げることができる。
【００２７】
上記実施の形態では、図２に示すように、上層階の壁柱４及び下層階の柱５を、短手方向に対称となるように設けてあるが、これに限らず、例えば短手方向の何れか一方の側のみに壁柱４及び柱５を設けるなど、非対称にしてあってもよい。また、図２に示す例では、上層階の壁柱４及び下層階の柱５を、長手方向にも対称となるように設けてあるが、これに限らず、長手方向に非対称に設けてあってもよい。さらに、長手方向の外側に位置する柱を、壁柱４、柱５としてもよいのはもちろんである。
【００２８】
また、上記実施の形態では、上層階において壁柱４の外側にバルコニー８を設けてあるが、これに限らず、例えば共用廊下等を設けてあってもよい。
【００２９】
なお、上記変形例どうしを適宜組み合わせてもよいことはいうまでもない。
【符号の説明】
【００３０】
１    基礎
２    免震装置
３    構造物
４    壁柱
５    柱
６    梁
７    ハンチ
８    バルコニー
９    梁主筋
１０    補強筋
１１    肋筋
Ｔ４  壁柱の外壁に直交する方向の幅
Ｔ５  柱の外壁に直交する方向の幅
Ｗ４  壁柱の外壁に沿う方向の幅
Ｗ５  柱の外壁に沿う方向の幅
【図１】
2018159235.tif 000003
【図２】
2018159235.tif 000004
【図３】
2018159235.tif 000005
【図４】
2018159235.tif 000006
【図５】
2018159235.tif 000007
【図６】
2018159235.tif 000008